(57)【要約】【課題】走行玩具自体が走行路を備え、他の走行玩具との合体により走行路に左右されずに走行することができる新しい発想の走行玩具を提供すること。【解決手段】他の走行玩具Ａ’を走行させる走行路２の終端に着脱可能に連結され、該走行路２を走行する他の走行玩具Ａ’が玩具本体の後端部から玩具本体内に進入できる進入路１を備えた走行玩具Ａであって、玩具本体には他の走行玩具Ａ’が進入路１から玩具本体内に進入に連係して走行路２と玩具本体の連結を解除する解除機構Ｃと、該解除機構Ｃに連係して玩具本体に設けられた駆動輪６、７を回転させる駆動機構Ｄとを備えた。【選択図】        図８
2004154398.tif 000002
【特許請求の範囲】
【請求項１】
他の走行玩具を走行させる走行路の終端に着脱可能に連結され、該走行路を走行する他の走行玩具が玩具本体の後端部から玩具本体内に進入できる進入路を備えた走行玩具であって、玩具本体には他の走行玩具が進入路から玩具本体内に進入することに連係して走行路と玩具本体の連結を解除する解除機構と、該解除機構に連係して玩具本体に設けられた駆動輪を回転させる駆動機構とを備えることを特徴とする走行玩具。
【請求項２】
前記解除機構と駆動機構とは前記進入路に進入した他の走行玩具の駆動輪の回転力を駆動源として作動する、請求項１記載の走行玩具。
【請求項３】
以下の要件を備えることを特徴とする、請求項１又は２記載の走行玩具。
（イ）前記走行玩具はリモートコントローラの発信する信号が受信でき、該リモートコントローラの操作ボタンを押すたびに前記駆動輪を回転させるモータの回転方向が切り換わること
（ロ）前記駆動機構はモータが正回転した場合は左右の駆動輪を前転させ、モータが逆回転した場合は一方の駆動輪は後転し、他方の駆動輪は継続して前転すること
【発明の詳細な説明】
【０００１】
【発明の属する技術分野】
本発明は、走行玩具、詳しくは走行路の終端に連結され、走行路を走行してきた他の走行玩具が合体することにより走行路から離脱して走行を始める走行玩具に関する。
【０００２】
【従来の技術】
従来、走行路を走行する走行玩具に関しては様々なものが提案され実用に供されているが、単に走行路を走行するだけでは飽きてしまうので、走行路や走行玩具に様々な工夫がなされている。この走行玩具は平坦な走行路を走行するだけではなく、車両を進行方向の垂直面で半回転させる反転道路を設け、道路が反転しても車両が落下せず走行できるようにしたものである（例えば、特許文献１参照。）。
【０００３】
【特許文献１】
特開平０９−３１３７４４号公報（第２−３頁、図３）
【０００４】
【発明が解決しようとする課題】
しかしながら、上述の車両（走行玩具）は単に平坦な走行路を走行するだけではなく反転した走行路を走行させることができ、変化に富んだ走行を楽しむことができるが、あくまで走行路を走行するためのもので、走行路から外れて走行させることを念頭においたものではなく、同じ走行路を繰り返し走行するだけでは飽きられる恐れがあった。
【０００５】
本発明は上記問題点を解消し、走行玩具自体が走行路を備え、他の走行玩具との合体により走行路に左右されずに走行することができる新しい発想の走行玩具を提供することをその課題とする。
【０００６】
【課題を解決するための手段】
前記課題を解決するため、本発明に係る走行玩具は、他の走行玩具を走行させる走行路の終端部に連結され、該走行路を走行する他の走行玩具が玩具本体の後端部から玩具本体内に進入できる進入路を備えた走行玩具であって、玩具本体には他の走行玩具が進入路から玩具本体内に進入することに連係して走行路と玩具本体の連結を解除する解除機構と、該解除機構に連係して玩具本体に設けられた駆動輪を回転させる駆動機構とを備えることを特徴とする。
【０００７】
なお、前記解除機構と駆動機構とは前記進入路に進入した他の走行玩具の駆動輪の回転力を駆動源として作動させればよい。
【０００８】
また、前記走行玩具は、以下の要件を備えることが好ましい。
（イ）前記走行玩具はリモートコントローラの発信する信号が受信でき、該リモートコントローラの操作ボタンを押すたびに前記駆動輪を回転させるモータの回転方向が切り換わること
（ロ）前記駆動機構はモータが正回転した場合は左右の駆動輪を前転させ、モータが逆回転した場合は一方の駆動輪は後転し、他方の駆動輪は継続して前転すること
【０００９】
【発明の実施の形態】
図１は、本発明に係る走行玩具の一例を示し、この走行玩具ＡはリモートコントローラＢからの信号を受信することにより直進走行と旋回走行とをするようになっているもので、走行玩具Ａの後部には他の走行玩具が進入するための進入路１が形成され、この進入路１は、図２に示すように、他の走行玩具が走行する走行路の最終段の走行路２の終端に連結部材３で連結できるようになっている。
【００１０】
この連結部材３は、フレーム４の両側面に支軸５で上下に回動可能に軸支されたシーソー部材で構成され、この連結部材３は進入路１から進入した他の走行玩具の駆動輪の回転力を駆動力として作動する解除機構Ｃにより進入路１と走行路２との連結が解除されるとともに、解除機構Ｃに連係して駆動輪６、７を回転させる駆動機構Ｄが作動するようになっている。
【００１１】
なおフレーム４の両側面の前後には補助輪８が取り付けられ補助輪８と駆動輪６、７とで走行できるようになっており、フレーム４の両側面に取り付けられた無端軌道ベルトを模したカバー部材９、１０で、駆動輪６、７、補助輪８、解除機構Ｃ及び駆動機構Ｄが外側から視認できないようになっている。
【００１２】
連結部材３は、図３、図４に示すように、後端が進入路１の後方に突出するとともに走行路２の終端両側面に突出形成された突片１１に噛み合うフック部１２が形成され、支軸５を中心に自重で後端が常に下動するようになっている。そして、前端は上方に湾曲して係合部１３が形成され、後述する解除機構Ｃにより連結部材３の前部が下方に回動させられるとフック部１２が上動して走行路２に形成された突片１１から外れるようになっている。
【００１３】
解除機構Ｃは、進入路１の走行面に形成された開口部１５から露出するローラー１６と、このローラー１６の軸１７の両端に固定されたピニオンギヤ１８、１９と、このピニオンギヤ１８、１９に噛合する平歯車２０、２１と、この平歯車２０、２１に噛合するラックギヤ２２、２３を備えたスライド部材２４、２５とで構成されている。
【００１４】
上記ローラー１６は進入路に進入してきた他の走行玩具の駆動輪によって回転させられるようになっており、ローラー１６の回転はピニオンギヤ１８、１９を介して平歯車２０、２１を回転させるようになっている。
【００１５】
スライド部材２４、２５はフレーム４の左右側面に軸３１、３２と凸片３３、３４とでそれぞれ前後にスライド移動可能に支持され、スプリング３５、３６で常に後方に移動するように付勢され、後部下縁にはラックギヤ２２、２３が形成されている。このラックギヤ２２、２３は上記平歯車２０、２１にそれぞれ噛合し、平歯車２０、２１が回転するとスライド部材２４、２５はスプリング３５、３６に抗して前方にスライド移動するようになっている。なお、スライド部材２４、２５の中間部には下方に階段状に係合凸片３７、３８が突出形成され、上記連結部材３の係合部１３はスライド部材２４、２５の係合凸片３７、３８の移動上に有るので、スライド部材２４、２５のスライド移動により係合凸片３７、３８は係合部１３に当接するようになっている。
【００１６】
上記スライド部材２４、２５は進入路１に進入した他の走行玩具の駆動輪の回転力でローラー１６が回転させられると、ピニオンギヤ１８、１９、平歯車２０、２１を介してスライド部材２４、２５が前方に移動させられ、係合凸片３７、３８が連結部材３の係合部１３に当接し、さらに前進すると係合部１３を押し下げるので連結部材３は前部が下方に回動し、後部が上方に回動するため、フック部１２は走行路２の凸片１１から外れて走行路２と進入路１（走行玩具Ａ）との連結が解除されるようになっている。
【００１７】
駆動機構Ｄは、上記解除機構Ｃに連係して駆動輪６、７を回転させるもので、スライド部材２４の前方に配置されたリーフスイッチ４０と、モータ４１と、モータ４１の回転を駆動輪６、７に伝える歯車群とから構成されている。
【００１８】
リーフスイッチ４０は、スライド部材２４が前方にスライド移動し、図３（ｂ）に示すように、走行路２と進入路１（走行玩具Ａ）との連結が解除される状態になるまで移動すると、スライド部材２４の先端がリーフスイッチ４０を押圧し、このリーフスイッチ４０をＯＮするようになっている。
【００１９】
このリーフスイッチ４０は、図５のブロック図に示すように、フレーム４の裏面に配置（図示せず）されたスライドスイッチ４２の位置により、リーフスイッチ４０がＯＮすることによりモータ４１に電圧を印加することができる場合と、リーフスイッチ４０のＯＮ・ＯＦＦに無関係にモータ４１に電圧を印加できる場合とが設定できるようになっている。
【００２０】
なお、符号４３は正逆回転制御回路を示し、この正逆回転制御回路４３は、リモートコントローラＢの発信する信号（電磁波）を受信する受信回路を備えたもので、電磁波を受信するたびにモータ４１に流れる電流の向きを切り換えるようになっている。
【００２１】
リモートコントローラＢは内部に圧電素子を備え、押しボタン８０を押し操作するたびに火花放電を起して電磁波を発生させるもので、この電磁波はアンテナ８１から発信されるようになっている。
【００２２】
モータ４１が正回転した場合は、歯車群を介して駆動輪６、７は前転し、モータ４１が逆回転した場合駆動輪６は継続して前転し、駆動輪７は後転するようになっている。
【００２３】
これは、図６に示すように、モータ４１の回転軸４５に固定されたピニオンギヤ５０、歯車５１を介して２段歯車５２が回転し、この２段歯車５２の小歯車５２ａを介して歯車５３、２段歯車５４が回転し、２段歯車５４の小歯車５４ａに噛合する駆動輪７と一体の歯車５５を回転させることにより駆動輪７が回転するもので、この駆動輪７はモータ４１が正回転すれば前転し、モータ４１が逆回転すれば後転するようになっている（図７（ａ）（ｃ）参照）。
【００２４】
一方、歯車５２の軸５６に固定された歯車６０には遊星歯車６１が噛合している。そして、歯車６２には中間歯車６３が噛合するとともに、２段歯車６４が噛合し、２段歯車６４の小歯車６４ａには駆動輪６と一体の歯車６５が噛合している。なお、駆動輪６は軸６６にフリーに取り付けられている。
【００２５】
上記遊星歯車６１はモータ４１が正回転した場合は、図７（ｂ）に示すように、歯車６３は遊星歯車６１に噛合し、歯車６２、２段歯車６４を介して駆動輪６と一体の歯車６５を回転させることにより駆動輪６を前転させるようになっており、モータ４１が逆回転した場合は、図７（ｄ）に示すように、遊星歯車６１は直接歯車６２に噛合し、これを矢印方向に回転させるので、駆動輪６と一体の歯車６５は２段歯車６４を介して矢印方向（前転）に回転するので、駆動輪６はモータ４１の回転方向によらず常に前転するようになっている。
【００２６】
上記構成の走行玩具は、図８に示すように、走行路２の終端に連結した状態で、走行路２上を他の走行玩具Ａ’が進行し、進入路１から走行玩具内に進入し、前輪７０がステップ７１を押し下げると、図９に示すように、ステップ７１と一体のフック７２が押し下げられ、アーム７３の係止が解除されるので、アーム７３はスプリング７４の復元力で前方に移動するとともに上方に回動し、前部のシャベル部７５が図示しない形態変化構造により怪獣の形態に形態変化する。
【００２７】
そして、走行玩具Ａ’の前部７６が走行玩具Ａの背面７７に当接し、進行が阻止された状態になるが、この時は、走行玩具Ａ’の駆動輪７８が進入路上のローラー１６上に位置するようになっているので、駆動輪７８はローラー１６を回転させる。ローラー１６が回転すると、ピニオンギヤ１８、１９、平歯車２０、２１を介してスライド部材２４、２５が前方に移動させられ、係合凸片３７、３８が連結部材３の係合部１３に当接し、さらに前進すると係合部１３を押し下げるので連結部材３は前部が下方に回動し、後部が上方に回動するため、フック部１２が上動して最終段の走行路２の突部１１から外れ、進入路１（走行玩具Ａ）と最終段の走行路２との連結状態が解除される。
【００２８】
スライド部材２４、２５の移動により、フック１２が上動して連結状態が解除される状態になると、リーフスイッチ４０がＯＮし、モータ４１が正回転を始める。モータ４１が正回転すると、図７（ａ）（ｂ）に示すように、駆動輪６、７が前転するので、走行玩具Ａは進入路１に走行玩具Ａ’が進入した状態で前進を始め、図１１に示すように、最終段の走行路２から離脱し、他の走行玩具Ａ’を載置した状態で走行を始める。
【００２９】
ここで、リモートコントローラＢの押しボタン８０を押し操作すると圧電素子が発生する電圧で火花放電が起こるので電磁波が発生し、この電磁波をアンテナ８２で受信した走行玩具Ａの正逆回転制御回路４３はモータ４１に流れる電流の向きを変化させ、モータ４１を逆回転させる。モータ４１が逆回転すると、図７（ｃ）（ｄ）に示すように、駆動輪６は逆転して後転するが、駆動輪７は逆転することなく前転を継続するので、走行玩具Ａはその場で方向を転換する。リモートコントローラＢの押しボタン８０を再度押し操作すれば、モータ４１は再び正回転するので駆動輪６、７は両方とも前転になり、走行玩具は転換した方向に直進することになる。
【００３０】
なお、スライドスイッチ４２を切り換えて、リーフスイッチ４０に無関係にモータ４１を回転するようにした場合は、他の走行玩具Ａ’と合体させることなく単独で走行させることができる。
【００３１】
さらに、ステップ７１を指で押し下げれば、図１２に示すように、走行玩具Ａはブルドーザの形態からロボットの形態に形態変化させることができるので、この状態でリモートコントローラＢで遠隔操作して走行玩具Ａの走行を楽しむことができる。
【００３２】
なお、上述の走行玩具Ａはブルドーザを模して形成したが、走行玩具をフェリーボートを模して形成し、最終段の走行路２を港の岸壁を模して形成してもよい。このことにより、走行路を走行してきた走行玩具（車、電車など）Ａは岸壁からフェリーボートに乗り込み、走行玩具が乗り込んだことにより港から船出するようにしてもよい。
【００３３】
【発明の効果】
請求項１の発明によれば、他の走行玩具が走行する走行路の終端に連結され、その走行路を走行してきた他の走行玩具が玩具本体に設けられた進入路から玩具本体内に進入すると、その進入に連係して解除機構が作動して走行路との連結が解除されるとともに、駆動機構が作動して駆動輪が回転を始めるので走行玩具は他の走行玩具を載置した状態で走行路から分離して走行を開始するので、単に定められた走行路を繰り返し循環走行する走行玩具とは異なる発送の走行玩具を提供することができる。
【００３４】
請求項２の発明によれば、解除機構と駆動機構とは進入路に進入した他の走行玩具の駆動輪の回転力を利用するので、合体した他の走行玩具の動力を利用することができるので別途駆動させる装置を必要としない。
【００３５】
請求項３の発明によれば、リモートコントローラの押しボタンを押し操作する簡単な操作で走行玩具の直進、旋回を制御することができるので、年少者にもリモコン走行玩具の楽しさを味わうことができる。
【図面の簡単な説明】
【図１】本発明に係る走行玩具の斜視図
【図２】上記走行玩具の背面側斜視図
【図３】解除機構と駆動機構との動作を説明するカバー部材を外した状態の右側面図
【図４】（ａ）（ｂ）は解除機構の動作を説明するカバー部材を外した状態の左側面図
【図５】モータの動作回路のブロック図
【図６】駆動機構の構成を示す斜視図
【図７】（ａ）〜（ｄ）はモータの回転と駆動輪の回転との関係の説明図
【図８】上記作動玩具の使用状態を説明する斜視図
【図９】（ａ）（ｂ）はステップの作動状態を説明するカバー部材を外した状態の左側面図
【図１０】走行玩具の進入路に他の走行玩具が進入した状態を説明する斜視図
【図１１】走行玩具が走行路から離脱した状態を説明する斜視図
【図１２】走行玩具を単体で走行させる場合の斜視図
【符号の説明】
１  進入路
２  走行路
３  連結部材
６、７  駆動輪
４１  モータ
８０  操作ボタン
Ａ  走行玩具
Ａ’  他の走行玩具
Ｂ  リモートコントローラ
Ｃ  解除機構
Ｄ  駆動機構
【図１】
2004154398.tif 000003
【図２】
2004154398.tif 000004
【図３】
2004154398.tif 000005
【図４】
2004154398.tif 000006
【図５】
2004154398.tif 000007
【図６】
2004154398.tif 000008
【図７】
2004154398.tif 000009
【図８】
2004154398.tif 000010
【図９】
2004154398.tif 000011
【図１０】
2004154398.tif 000012
【図１１】
2004154398.tif 000013
【図１２】
2004154398.tif 000014